(57)【要約】【課題】本発明の課題は、印刷機の見当制御装置におけるセンサ光源を確実に切り換える装置、方法を提供することである。【解決手段】基準見当マークの色情報と見当マークの配列情報との入力を受け付て、印刷ユニット識別情報を含んだ光源色指示を生成送信して、印刷ユニット制御データを受け付けて、転送する印刷制御装置と、光源色指示を受け付けて、内蔵する複数の光源から１つを選択して、所定の見当マークを検出して、検出時間情報を含む見当マーク検出データを生成して、所定の２つの見当マーク検出時間の差を算出して、これと印刷ユニット識別情報とを含む印刷ユニット制御データを作成して、送信する光源選択式見当制御センサ装置と、印刷ユニット制御データを受け付けて、印刷ユニットの印刷を制御する印刷ユニット装置と、から構成される光源選択式見当制御センサを備えた印刷システムである。【選択図】図１
2007283615.tif 000002
【特許請求の範囲】
【請求項１】
光源選択式見当制御センサ装置と、印刷制御装置と、印刷ユニット装置と、から構成される印刷システムであって、
前記印刷制御装置は、
基準となる見当マークの印刷色情報と見当マークの配列順序情報とを含む見当マーク情報、
を記憶する記憶手段と、
基準となる見当マークの印刷色情報と見当マークの配列順序情報とを含む見当マーク情報の入力を受け付ける見当マーク情報受付手段と、
前記受け付けた見当マーク情報を取得して、印刷ユニット識別情報を含んだ光源色指示を生成する光源色指示手段と、
光源色指示を送信する光源色指示送信手段と、
印刷ユニット制御データを受け付けて、転送する印刷ユニット制御データ転送手段と、
を備える制御装置であって、
前記光源選択式見当制御センサ装置は、
見当マーク検出時間情報と検出光量情報を対応付けた見当マーク検知データと、
印刷見当ズレを是正制御する印刷ユニット制御データと、
を記憶する記憶手段と、
光源色指示を受け付けて、内蔵する複数の光源から１つを選択して、所定の見当マークを検出して、見当マーク検出データを生成して、メモリに記録する見当センサ手段と、
見当マーク検出データを取得して、所定の２つの見当マーク検出時間の差を算出して、これと印刷ユニット識別情報とを含む印刷ユニット制御データを作成する印刷ユニット制御データ作成手段と、
印刷ユニット制御データを送信する印刷ユニット制御データ送信手段と、
を備えるセンサ装置であって、
前記印刷ユニット装置は、
印刷ユニット制御データを受け付けて、印刷ユニットの印刷を制御する印刷ユニット制御手段、
を備えるユニット装置である、
ことを特徴とする光源選択式見当制御センサを備えた印刷システム。
【請求項２】
印刷ユニット識別情報を含んだ光源色指示と、
見当マーク検出時間情報と検出光量情報を対応付けた見当マーク検知データと、
印刷見当ズレを是正制御する印刷ユニット制御データと、
を記憶する記憶手段と、
光源色指示を受け付けて、内蔵する複数の光源から１つを選択して、所定の見当マークを検出して、見当マーク検出データを生成して、メモリに記録する見当センサ手段と、
見当マーク検出データを取得して、所定の２つの見当マーク検出時間の差を算出して、これと印刷ユニット識別情報とを含む印刷ユニット制御データを作成する印刷ユニット制御データ作成手段と、
を備えることを特徴とする光源選択式見当制御センサ装置。
【請求項３】
印刷見当を是正する光源選択式見当制御センサと見当マークが印刷された印刷媒体を用いて、印刷見当ズレを是正する印刷方法であって、
基準となる見当マークの印刷色情報と見当マークの配列順序情報とを含む見当マーク情報と、
見当マーク検出時間情報と検出光量情報を対応付けた見当マーク検知データと、
印刷見当ズレを是正制御する印刷ユニット制御データと、
を用いるセンサ光源選択式見当制御方法であって、
見当マーク情報の入力を受け付ける見当マーク情報受付ステップと、
前記受け付けた見当マーク情報を取得して、印刷ユニット識別情報を含んだ光源色指示を生成する光源色指示ステップと、
光源色指示を受け付けて、内蔵する複数の光源から１つを選択して、所定の見当マークを検出して、見当マーク検出データを生成して、メモリに記録する見当マーク検出データ記録ステップと、
見当マーク検出データを取得して、所定の２つの見当マーク検出時間の差を算出して、これと印刷ユニット識別情報とを含む印刷ユニット制御データを作成する印刷ユニット制御データ作成ステップと、
印刷ユニット制御データを受け付けて、印刷ユニットの印刷を制御する印刷ユニット制御ステップと、
を備える制御装置である、
を含んだ手順でなされることを特徴とするセンサ光源選択式見当制御方法。
【請求項４】
コンピュータに組込むことによって、コンピュータを請求項１に記載の光源選択式見当制御センサを備えた印刷システム、あるいは、請求項２に記載の光源選択式見当制御センサ装置として動作させるコンピュータプログラム。
【請求項５】
請求項４に記載のコンピュータプログラムを記録したコンピュータ読取り可能な記録媒体。
【発明の詳細な説明】
【技術分野】
【０００１】
本発明は、多色刷り印刷機において、見当制御用マーク（以下：見当マーク）を検出する検出器（以下：見当センサ）の光源色を切り替える装置、方法に関するものである。
【０００２】
従来から、多色印刷では、見当ズレを修正するために、見当センサを印刷機に設置して、見当ズレ量を測定している。このとき、見当センサの検知精度を高めるために、所定の光源色の光を用いて、見当マークを検知している。
【背景技術】
【０００３】
たとえば、特許文献１には、多色印刷における印刷の制御において、各印刷ユニットの印刷色に適した光源色を用いることで、各印刷ユニットの印刷状態の検出精度を高める技術が開示されている。（従来技術１）
【特許文献１】特開２００１−３４９７７８号公報（８−９ページ、図４、７）
【発明の開示】
【発明が解決しようとする課題】
【０００４】
ところで、従来技術１では、印刷ユニットの印刷色が変更されると、印刷ユニットの光源色をそれに対応させて変更しなければならないので、変更作業の手間を要するという欠点があった。また、この変更作業は、作業者の注意力に依存するために、光源色の設定ミスが発生して、そのときには、印刷状態を検出する精度が低下するために、印刷材料に多大な無駄が生じるという問題点があった。
【０００５】
本発明はこのような従来技術を考慮してなされたものであって、本発明の課題は、印刷機の見当制御装置におけるセンサ光源を確実に切り換える装置、方法を提供することである。
【課題を解決するための手段】
【０００６】
本発明は、以下のような解決手段により、前記課題を解決する。すなわち、請求項１の発明は、光源選択式見当制御センサ装置と、印刷制御装置と、印刷ユニット装置と、から構成される印刷システムであって、前記印刷制御装置は、基準となる見当マークの印刷色情報と見当マークの配列順序情報とを含む見当マーク情報、を記憶する記憶手段と、基準となる見当マークの印刷色情報と見当マークの配列順序情報とを含む見当マーク情報の入力を受け付ける見当マーク情報受付手段と、前記受け付けた見当マーク情報を取得して、印刷ユニット識別情報を含んだ光源色指示を生成する光源色指示手段と、光源色指示を送信する光源色指示送信手段と、印刷ユニット制御データを受け付けて、転送する印刷ユニット制御データ転送手段と、を備える制御装置であって、前記光源選択式見当制御センサ装置は、見当マーク検出時間情報と検出光量情報を対応付けた見当マーク検知データと、印刷見当ズレを是正制御する印刷ユニット制御データと、を記憶する記憶手段と、光源色指示を受け付けて、内蔵する複数の光源から１つを選択して、所定の見当マークを検出して、見当マーク検出データを生成して、メモリに記録する見当センサ手段と、見当マーク検出データを取得して、所定の２つの見当マーク検出時間の差を算出して、これと印刷ユニット識別情報とを含む印刷ユニット制御データを作成する印刷ユニット制御データ作成手段と、印刷ユニット制御データを送信する印刷ユニット制御データ送信手段と、を備える装センサ置であって、前記印刷ユニット装置は、印刷ユニット制御データを受け付けて、印刷ユニットの印刷を制御する印刷ユニット制御手段、を備えるユニット装置である、ことを特徴とする光源選択式見当制御センサを備えた印刷システムである。
【０００７】
従って、各印刷ユニットの見当センサは、見当マークの印刷色に適した光源色の光源を選択することで、見当マークを、的確に、検知する。
【０００８】
請求項２の発明は、印刷ユニット識別情報を含んだ光源色指示と、見当マーク検出時間情報と検出光量情報を対応付けた見当マーク検知データと、印刷見当ズレを是正制御する印刷ユニット制御データと、を記憶する記憶手段と、光源色指示を受け付けて、内蔵する複数の光源から１つを選択して、所定の見当マークを検出して、見当マーク検出データを生成して、メモリに記録する見当センサ手段と、見当マーク検出データを取得して、所定の２つの見当マーク検出時間の差を算出して、これと印刷ユニット識別情報とを含む印刷ユニット制御データを作成する印刷ユニット制御データ作成手段と、を備えることを特徴とする光源選択式見当制御センサ装置である。
【０００９】
請求項３の発明は、印刷見当を是正する光源選択式見当制御センサと見当マークが印刷された印刷媒体を用いて、印刷見当ズレを是正する印刷方法であって、基準となる見当マークの印刷色情報と見当マークの配列順序情報とを含む見当マーク情報と、見当マーク検出時間情報と検出光量情報を対応付けた見当マーク検知データと、印刷見当ズレを是正制御する印刷ユニット制御データと、を用いるセンサ光源選択式見当制御方法であって、見当マーク情報の入力を受け付ける見当マーク情報受付ステップと、前記受け付けた見当マーク情報を取得して、印刷ユニット識別情報を含んだ光源色指示を生成する光源色指示ステップと、光源色指示を受け付けて、内蔵する複数の光源から１つを選択して、所定の見当マークを検出して、見当マーク検出データを生成して、メモリに記録する見当マーク検出データ記録ステップと、見当マーク検出データを取得して、所定の２つの見当マーク検出時間の差を算出して、これと印刷ユニット識別情報とを含む印刷ユニット制御データを作成する印刷ユニット制御データ作成ステップと、印刷ユニット制御データを受け付けて、印刷ユニットの印刷を制御する印刷ユニット制御ステップと、を備える制御装置である、を含んだ手順でなされることを特徴とするセンサ光源選択式見当制御方法である。
【００１０】
請求項４の発明は、コンピュータに組込むことによって、コンピュータを請求項１に記載の光源選択式見当制御センサを備えた印刷システム、あるいは、請求項２に記載の光源選択式見当制御センサ装置として動作させるコンピュータプログラムである。
【００１１】
請求項５の発明は、請求項４に記載のコンピュータプログラムを記録したコンピュータ読取り可能な記録媒体である。
【発明の効果】
【００１２】
本願発明によれば、見当センサの光源色の選択作業の能率が向上する。また、見当センサの光源色の選択ミスによる印刷材料の無駄を防止する。
【発明を実施するための最良の形態】
【００１３】
（実施例）
以下、図面等を参照しながら、本発明の実施の形態について、更に詳しく説明する。
図１は、光源選択式見当制御センサを備えた印刷システムの概要を説明する図である。印刷システム１は、光源選択式見当制御センサ装置７００と、印刷ユニット１００と、印刷機操作者９００が操作する印刷制御装置３００と、から構成される。
【００１４】
印刷媒体５００は、各印刷ユニット１００では、見当マークを含む所定の色の印刷が行われる。
【００１５】
光源選択式見当制御センサ装置７００は、見当マーク検知データ７９１と、印刷見当ズレを是正制御する印刷ユニット制御データ７９９と、を記憶する。光源選択式見当制御センサ装置７００は、2番目以降の印刷ユニット１００に設置される。
【００１６】
印刷制御装置３００は、基準となる見当マークの印刷色情報と見当マークの配列順序情報とを含む見当マークの情報３９１と、印刷ユニット制御データ７９９と、を記憶する。
【００１７】
図１２は、光源選択式見当制御センサを備えた印刷システム１の大まかな処理の流れを説明する図である。
【００１８】
印刷機操作者９００は、基準見当マーク５１０（詳細は後述する。）を印刷する印刷色の情報と、印刷媒体５００に印刷する見当マーク５１０の配列順序の情報とを含む見当マーク情報３９１を入力する（図１２（１））。
【００１９】
センサ光源選択式見当制御装置３００は、入力された見当マーク情報３９１を受け付けて、これを含む光源色指示を生成して、光源選択式見当制御センサ装置７００に、送信する（同（２））。
【００２０】
各光源選択式見当制御センサ装置７００は、光源色指示を受け付けて、光源色指定情報を生成する（同（３））。各光源選択式見当制御センサ装置７００は、光源色指定情報に基づいて、内蔵する複数の光源から１つを選択して、この光源を用いて、印刷媒体５００に印刷された見当マーク５１０を検出して、見当マークずれ量を算出して、この見当マークずれ量の是正（＝ずれ量を減少させる補正）をする印刷ユニット制御データ７９９を生成する（同（４））。各光源選択式見当制御センサ装置７００は、印刷ユニット制御データ７９９を送信する（同（５））。
【００２１】
印刷制御装置３００は、印刷ユニット制御データ７９９を受け付けて、各印刷ユニット１００に、印刷ユニット制御データ７９９を転送する（同（６））。
【００２２】
各印刷ユニット１００は、印刷ユニット制御データ７９９を受け付けて、見当マークの印刷位置を制御する（同（７））。
【００２３】
図２は、光源選択式見当制御センサを備えた印刷システム１の詳細な構成図である。
本発明の印刷システム１は、光源選択式見当制御センサ装置７００と、印刷制御装置３００と、印刷ユニット装置１００と、から構成される。
【００２４】
前記印刷制御装置３００は、基見当マーク情報受付手段３１０と、光源色指示生成手段３２０と、光源色指示送信手段３７０と、印刷ユニット制御信号発行手段３８０と、記憶手段３９０と、を備える。記憶手段３９０は、見当マーク情報３９１と、印刷ユニット制御データ７９９と、を記憶する。
【００２５】
見当マーク情報３９１は、基準となる見当マークの印刷色情報と見当マークの配列順序情報とを含むデータである。
【００２６】
見当マーク情報受付手段３１０は、基準となる見当マークの印刷色情報と、見当マークの配列順序情報の入力を受け付ける。光源色指示生成手段３２０は、前記受け付けた見当マーク情報を取得して、印刷ユニット識別情報を含んだ光源色指示を生成する。光源色指示送信手段３７０は、光源色指示を送信する。印刷ユニット制御データ転送手段３８０は、印刷ユニット制御データを受け付けて、転送する。
【００２７】
光源選択式見当制御センサ装置７００は、見当センサ手段７１０と、印刷ユニット制御データ作成手段７４０と、印刷ユニット制御データ送信手段７７０と、記憶手段７９０と、を備える。記憶手段７９０は、見当マーク検知データ７９１と、印刷ユニット制御データ７９９と、を記憶する。
【００２８】
見当マーク検知データ７９１は、光源選択式見当制御センサの検出時間と検出光量とを対応付けたデータである。印刷ユニット制御データ７９９は、印刷見当ズレを是正制御する（＝見当マークの印刷位置を正しい位置に変更させる）データである。印刷ユニット制御データ７９９は、印刷見当ズレを是正制御するデータである。
【００２９】
見当センサ手段７１０は、光源色指示を受け付けて、内蔵する複数の光源から１つを選択して、所定の見当マークを検出して、見当マーク検出データ７９１を生成して、メモリに記録する。見当センサ手段７１０は、見当検知手段７１３と、見当センサ光源手段７１５と、光源選択手段７２０と、を有する。見当検知手段７１３と、所定の見当マークを検出して、見当マーク検出データ７９１を生成して、メモリに記録する。見当センサ光源手段７１５は、光源色の異なる複数の光源である。光源選択手段７２０は、光源色指示を受け付けて、内蔵する複数の光源から１つを選択する。
【００３０】
印刷ユニット制御データ作成手段７４０は、見当マーク検出データ７９１を取得して、所定の2つの見当マーク検出時間の差を算出して、これと印刷ユニット識別情報とを含む印刷ユニット制御データ７９９を作成する。印刷ユニット制御データ送信手段７７０は、印刷ユニット制御データ７９９を送信する。
【００３１】
印刷ユニット装置１００は、印刷ユニット制御手段１１０を備える。
【００３２】
印刷ユニット制御手段１１０は、印刷ユニット制御データを受け付けて、印刷ユニットの印刷を制御する。
【００３３】
検知手段７１３は、受光素子（たとえば、フォトダイオード）である。光源手段７１５は、発光素子（たとえば、LED）である。光源選択手段７２０は、切替スイッチである。印刷ユニット制御手段１１０と、基見当マーク情報受付手段３１０と、光源色指示生成手段３２０と、光源色指示送信手段３７０と、印刷ユニット制御信号発行手段３８０と、見当センサ手段７１０と、印刷ユニット制御データ作成手段７４０と、印刷ユニット制御データ送信手段７７０と、は、コンピュータプログラムである。見当マーク情報３９１と、印刷ユニット制御データ７９９と、見当マーク検知データ７９１と、印刷ユニット制御データ７９９と、は、コンピュータプログラムが可読なデータである。記憶手段１９０と、記憶手段３９０と、記憶手段７９０と、は、メモリである。
【００３４】
図３は、見当センサの構造を説明する上面図である。見当センサ７１０は、光源７１５（赤色ＬＥＤ７１５ａ、青色ＬＥＤ７１５ｂ）と、フォトダイオード７１３と、レンズ７１１と、ハーフミラー７１９と、光源選択手段７２０と、などから構成されている。赤色ＬＥＤ７１５ａ、青色ＬＥＤ７１５ｂは、それぞれ、光源色＝赤と、光源色＝青の光源７１５であり、光源選択手段７２０によって切り替える。光源色の初期値は、青が選択されている。光源７１５を発した光は、ハーフミラー７１９を経由して、レンズ７１１で屈折して、印刷媒体５００上に焦点を結ぶ。見当マーク５１０からの反射光は、フォトダイオード７１３で受光して、反射光量信号に変換する。
【００３５】
なお、赤色ＬＥＤ７１５ａによる赤色光では、シアン色の見当マーク５１０を、検出する。また、青色ＬＥＤ７１５ｂによる青色光では、マゼンダ・イエロー・墨色等シアン以外の色の見当マーク５１０を、検出する。
【００３６】
図４と図５とは、２つの見当センサ７１０を用いた見当マーク５１０検知を説明する図である。
【００３７】
図４は、見当センサ７１０を２つ備えた光源選択式見当制御センサ装置７００の説明図である。２つの見当センサ７１０を備えた光源選択式見当制御センサ装置７００が、印刷媒体５００上の２つの見当マーク５１０を検知する状態を示している。２つの見当センサ７１０は、印刷媒体の送り方向に対して、下流側（図４の上位）に位置する見当センサを、「Ｔ１」、上流側（図４の下位）に位置する見当センサを「Ｔ２」とする。見当センサ７１０は、２つの見当センサ７１０を用いて、印刷媒体５００上の隣接する２つの見当マーク５１０を検知する。
【００３８】
図５は、２つの見当センサ７１０の正面図である。印刷媒体の送り方向が図面の上方である印刷媒体５００と２つの見当センサ「Ｔ１」「Ｔ２」７１０の位置関係を示している。印刷媒体５００上の隣接する２つの見当マーク５１０ａ／５１０ｂは、印刷媒体の送りに従って、それぞれが、見当センサ「Ｔ１」「Ｔ２」の位置に来る。すると、見当センサ「Ｔ１」の光源７１５は、見当マーク５１０ａを照射して、その反射光を見当センサ「Ｔ１」のフォトダイオード７１３で受光検知する。同様に、見当センサ「Ｔ２」の光源７１５は、見当マーク５１０ｂを照射して、その反射光を見当センサ「Ｔ２」のフォトダイオード７１３で受光検知する。
【００３９】
図１１は、この２つの見当マーク５１０を検出したときの反射光量の変化をグラフにしたものである。縦軸が反射光量で、横軸が時間である。見当センサ「Ｔ１」と見当センサ「Ｔ２」とは、同時に、2つの見当マーク５１０を検出する。検出開始時間に相違があれば、印刷物の流れの方向に、見当マークの位置が、ズレていることを示している。
【００４０】
次に、印刷媒体５００上の見当マーク５１０の配列順序について説明する。配列順序の種類は、4種類ある。図６から図９までは、その4種類の見当マーク配列を説明する図である。
【００４１】
図６は、正順配列の「基準見当マーク＝前の印刷ユニットの見当マーク」の配列を説明する図である。見当マークの正順配列とは、各印刷ユニットで印刷した見当マーク５１０が、印刷媒体の流れに乗って、最初に印刷した見当マークから順番に出現するものである。基準見当マークは、前の印刷ユニットで印刷した見当マーク５１０になる。そこで、たとえば、第２印刷ユニットの見当合わせは、第１印刷ユニットで印刷した見当マークを基準にする。第３印刷ユニットの見当合わせは、第２印刷ユニットで印刷した見当マークを基準にする。
【００４２】
たとえば、見当マークの配列は、第１印刷ユニットで印刷した見当マーク、第２印刷ユニットで印刷した見当マーク、第３印刷ユニットで印刷した見当マークの順番で出現するように、配列する。
【００４３】
ちなみに、各印刷ユニットにおいて、基準見当マークを検知する見当センサ７１０は、「Ｔ１」になる。従って、その印刷ユニットで印刷した見当マークを検知する見当センサ７１０は、「Ｔ２」にある。
【００４４】
図７は、逆順配列の「基準見当マーク＝前の印刷ユニットの見当マーク」の配列を説明する図である。見当マークの逆順配列とは、各印刷ユニットで印刷した見当マークが、印刷媒体の流れに乗って、最終に印刷した見当マークから順番に出現するものである。基準見当マークは、前の印刷ユニットで印刷した見当マーク５１０になる。そこで、各印刷ユニットの見当合わせは、図６で説明したとおりである。
【００４５】
たとえば、見当マークの配列は、第３印刷ユニットで印刷した見当マーク５１０ｃ、第２印刷ユニットで印刷した見当マーク５１０ｂ、第１印刷ユニット５１０ａで印刷した見当マークの順番で出現するように、配列する。
【００４６】
そこで、第２印刷ユニットの見当合わせは、第１印刷ユニットで印刷した見当マーク５１０ａを基準にする。第３印刷ユニットの見当合わせは、第２印刷ユニットで印刷した見当マーク５１０ｂを基準にする。
【００４７】
ちなみに、各印刷ユニットにおいて、基準見当マークを検知する見当センサ７１０は、「Ｔ２」になる。従って、その印刷ユニットで印刷した見当マークを検知する見当センサ７１０は、「Ｔ１」にある。
【００４８】
図８は、正順配列の「基準見当マーク＝第１印刷ユニットの見当マーク」の配列を説明する図である。見当マークの正順配列は、図６で説明したとおりである。基準見当マークは、第１印刷ユニットで印刷した見当マークである。そこで、第２印刷ユニットの見当合わせは、第１印刷ユニットで印刷した見当マーク５１０ｆを基準にする。第３印刷ユニットの見当合わせは、第１印刷ユニットで印刷した見当マーク５１０ｇを基準にする。
【００４９】
たとえば、見当マークの配列は、第１印刷ユニットで印刷した見当マーク５１０ｆ、第２印刷ユニットで印刷した見当マーク５１０ｂ、第１印刷ユニットで印刷した見当マーク５１０ｇ、第３印刷ユニットで印刷した見当マーク５１０ｃの順番で出現するように、配列する。
【００５０】
ちなみに、各印刷ユニットにおいて、基準見当マークを検知する見当センサ７１０は、各印刷ユニットとも、見当センサ「Ｔ１」になる。従って、その印刷ユニットで印刷した見当マークを検知する見当センサ７１０は、見当センサ「Ｔ２」になる。
【００５１】
図９は、逆順配列の「基準見当マーク＝第１印刷ユニットの見当マーク」の配列を説明する図である。見当マークの正順配列は、図７で説明したとおりである。基準見当マークは、第１印刷ユニットで印刷した見当マークである。そこで、各印刷ユニットの見当合わせは、図８で説明したとおりである。
【００５２】
たとえば、見当マークの配列は、第３印刷ユニットで印刷した見当マーク５１０ｃ、第１印刷ユニットで印刷した見当マーク５１０ｇ、第２印刷ユニットで印刷した見当マーク５１０ｂ、第１印刷ユニットで印刷した見当マーク５１０ｆの順番で出現するように、配列する。
【００５３】
ちなみに、各印刷ユニットにおいて、基準見当マークを検知する見当センサ７１０は、「Ｔ２」になる。従って、その印刷ユニットで印刷した見当マークを検知する見当センサ７１０は、「Ｔ１」である。
【００５４】
次に、見当センサ「Ｔ１」７１０と見当センサ「Ｔ２」７１０の光源色を選択する手順を説明する。図１０は、第Ｎ印刷ユニットの見当センサ「Ｔ１」と見当センサ「Ｔ２」の光源色の選択フローチャートである。なお、予め、全印刷ユニットにおいて、全ての見当センサ「Ｔ１」と見当センサ「Ｔ２」の光源色は、青に設定されている。
（１）基準見当マークの印刷ユニットが、前の印刷ユニットであれば、次のステップに進む。第１印刷ユニットであれば、ステップＳ１５０に進む。（ステップＳ１００）
（２）第Ｎ印刷ユニットが、青色印刷する印刷ユニットであれば、次のステップに進む。青色印刷する印刷ユニットでなければ、終了する。（ステップＳ１１０）
（３）見当マーク順序が、逆順であれば、次のステップに進む。正順であれば、ステップＳ１４０に進む。（ステップＳ１２０ ）
（４）光源色指示生成手段３２０は、「印刷ユニット識別情報＝第Ｎ印刷ユニット」と「見当センサＴ１の光源色＝赤」を含んだ光源色指定情報を生成して、光源色指示送信手段３７０は、これを送信する。次いで、光源色指示生成手段３２０は、「印刷ユニット識別情報＝第Ｎ+１印刷ユニット」と「見当センサＴ２の光源色＝赤」を含んだ光源色指定情報を生成して、光源色指示送信手段３７０は、これを送信する。終了する。（ステップＳ１３０ ）
（５）光源色指示生成手段３２０は、「印刷ユニット識別情報＝第Ｎ印刷ユニット」と「見当センサＴ２の光源色＝赤」を含んだ光源色指定情報を生成して、送信する。次いで、光源色指示生成手段３２０は、「印刷ユニット識別情報＝第Ｎ+１印刷ユニット」と「見当センサＴ１の光源色＝赤」を含んだ光源色指定情報を生成して、光源色指示送信手段３７０は、これを送信する。終了する。（ステップＳ１４０ ）
（６）第Ｎ印刷ユニットが、青色印刷する印刷ユニットであれば、次のステップに進む。青色印刷する印刷ユニットでなければ、終了する。（ステップＳ１５０ ）
（７）見当マーク順序が、正順であれば、次のステップに進む。逆順であれば、ステップＳ１８０に進む。（ステップＳ１６０）
（８）第Ｎ印刷ユニットは、基準見当マークの印刷ユニットであれば、次のステップに進む。基準見当マークの印刷ユニットでなければ、ステップＳ１７８に進む。（ステップＳ１７０）
（９）光源色指示生成手段３２０は、「印刷ユニット識別情報＝全印刷ユニット」と「見当センサＴ１の光源色＝赤」を含んだ光源色指定情報を生成して、送信する。終了する。（ステップＳ１７３）
（１０）光源色指示生成手段３２０は、「印刷ユニット識別情報＝第Ｎ印刷ユニット」と「見当センサＴ２の光源色＝赤」を含んだ光源色指定情報を生成して、光源色指示送信手段３７０は、これを送信する。終了する。（ステップＳ１７８）
（１１）第Ｎ印刷ユニットは基準見当マークの印刷ユニットであれば、次のステップに進む。基準見当マークの印刷ユニットでなければ、ステップＳ１８８に進む。（ステップＳ１８０）
（１２）光源色指示生成手段３２０は、「印刷ユニット識別情報＝全印刷ユニット」と「見当センサＴ２の光源色＝赤」を含んだ光源色指定情報を生成して、光源色指示送信手段３７０は、これを送信する。終了する。（ステップＳ１８３）
（１３）光源色指示生成手段３２０は、「印刷ユニット識別情報＝第Ｎ印刷ユニット」と「見当センサＴ１の光源色＝赤」を含んだ光源色指定情報を生成して、光源色指示送信手段３７０は、これを送信する。終了する。（ステップＳ１８８）
【００５５】
以上詳しく説明したように、本願発明によれば、見当センサ設定作業の能率が向上した。また、見当センサの設定作業において、印刷材料の使用量を削減できた。
【図面の簡単な説明】
【００５６】
【図１】源選択式見当制御センサを備えた印刷システム１の概要
【図２】光源選択式見当制御センサを備えた印刷システム１の詳細な構成図
【図３】見当センサの上面図
【図４】見当センサ７１０を２つ備えた光源選択式見当制御センサ装置７００の説明図
【図５】２つの見当センサの正面図
【図６】前の印刷ユニットの見当マークが基準見当マークになる正順配列の説明図
【図７】前の印刷ユニットの見当マークが基準見当マークになる逆順配列の説明図
【図８】第１印刷ユニットの見当マークが基準見当マークになる正順配列の説明図
【図９】第１印刷ユニットの見当マークが基準見当マークになる逆順配列の説明図
【図１０】各光源色の選択フローチャート
【図１１】２つの見当マーク５１０を検出したときの反射光量グラフ
【図１２】光源選択式見当制御センサを備えた印刷システム１の大まかな処理の流れを説明する図
【符号の説明】
【００５７】
１  光源選択式見当制御センサを備えた印刷システム
１００  印刷ユニット
１１０  印刷ユニット制御手段
３００  印刷装置
３１０  基見当マーク情報受付手段
３２０  光源色指示生成手段
３７０  光源色指示送信手段
３８０  印刷ユニット制御信号発行手段
３９０  記憶手段
３９１  見当マーク情報
５００  印刷媒体
５１０  見当マーク
５１０ａ  隣接する２つの見当マーク
５１０ｂ  隣接する２つの見当マーク
７００  光源選択式見当制御センサ装置
７１０  見当センサ、見当センサ手段
７１３  検知手段
７１３  フォトダイオード
７１５  光源手段
７１５ａ  赤色ＬＥＤ
７１５ｂ  青色ＬＥＤ
７２０  光源選択手段
７４０  印刷ユニット制御データ作成手段
７７０  印刷ユニット制御データ送信手段
７９０  記憶手段
７９１  見当マーク検知データ
７９９  印刷ユニット制御データ
９００  印刷機操作者
【図１】
2007283615.tif 000003
【図２】
2007283615.tif 000004
【図３】
2007283615.tif 000005
【図４】
2007283615.tif 000006
【図５】
2007283615.tif 000007
【図６】
2007283615.tif 000008
【図７】
2007283615.tif 000009
【図８】
2007283615.tif 000010
【図９】
2007283615.tif 000011
【図１０】
2007283615.tif 000012
【図１１】
2007283615.tif 000013
【図１２】
2007283615.tif 000014